(57)【特許請求の範囲】
【請求項１】
天井に取り付けられ、火災またはガス漏れの発生をセンサが検知して警報を発生する警報器であって、
下ケースとこの下ケースをカバーする上ケースとによりケース本体を構成し、このケース本体内部にプリント基板を収納し、このプリント基板の前記上ケース側に前記センサ、警報ブザー、電子部品、及び前記センサで検知した検知信号を外部出力機器に出力するための外部出力用リード線を取り付け、前記プリント基板からの前記外部出力用リード線を収納する収納部を前記ケース本体に形成し、該収納部には前記天井側に開口部が形成され且つ底部に穴部が形成され、前記収納部に形成された前記開口部からの前記外部出力用リード線を前記天井を通して前記外部出力機器に接続してなり、前記収納部には前記開口部から前記底部に向かって溝部が形成されてなり、前記穴部は、前記上ケースの一部に形成されてなることを特徴とする警報器。
【発明の詳細な説明】
【０００１】
【発明の属する技術分野】
本発明は、上ケースと下ケースとから構成されるケース本体内に有する火災センサにより火災を検知して警報を発生する警報器に関し、特に、外部機器に火災検知信号を出力する外部出力用リード線を収納する収納部がケース本体に設けられる場合に、この収納部に溜まった水、油煙等の液体を外部に放出して、ケース本体内への液体の侵入を防止することができる警報器に関する。
【０００２】
【従来の技術】
火災が発生したときに警報を発生する警報器は、下ケースとこの下ケースをカバーする上ケースとから構成されるケース本体を有し、このケース本体内にはプリント基板が設けられている。このプリント基板の部品側面には火災の発生を検出する火災センサ、警報ブザー及び電子部品等が実装されている。
【０００３】
そして、ケース本体の下ケースを室内の天井に取り付けておき、室内で火災が発生したときには、警報器内の火災センサが熱により火災を検知して、警報ブザーが警報を発生する。
【０００４】
このような警報器は、例えば、図６に示すように、上ケース１０１とこの上ケース１０１と嵌合する下ケース１０３とを備え、下ケース１０３からは２つの端子金具１０５及び２つの端子ネジ１０７が突出しており、この２つの端子金具１０５及び２つの端子ネジ１０７が図示しない天井に設けられた取付ベースに取り付けられる。
【０００５】
２つの端子金具１０５は、図示しない例えば１００Ｖ系電源からの電力を前述したプリント基板上の各部品に供給している。また、２つの端子ネジ１０７は、プリント基板上の火災センサで検知した火災検知信号を集中監視装置等の外部出力機器に出力している。
【０００６】
また、最近では、外部出力機器へ接続される端子ネジ１０７を用いる代わりに、プリント基板から出力される火災検知信号を外部出力機器に出力するための外部出力用リード線を用いている。そして、プリント基板からの外部出力用リード線をケース本体の収納部に収納し、この収納部に収納された外部出力用リード線を天井を通して外部出力機器に接続している。
【０００７】
【発明が解決しようとする課題】
しかしながら、この種の外部出力用リード線を用いた警報器にあっては、次のような問題点があった。この問題点を図７及び図８を参照して説明する。図８は図７に示す警報器をＡ方向から見た断面図である。
【０００８】
図７に示すように、警報器は、上ケース２０１と、下ケース２０３と、上ケース２０１をカバーする化粧パネル２０５と、プリント基板２０８と、このプリント基板２０８からの外部出力用リード線２０９を収納する収納部２０７とを有して構成される。
【０００９】
このような警報器を天井に取り付けておくと、室内の湯気、油煙等の液体２１１が天井付近に溜まり、その液体２１１が結露して警報器に付着する。そして、ある程度、液体２１１が付着してくると、収納部２０７の下ケース２０３側が開口しているので、開口側から液体２１１が収納部２０７に流れ込む。長期間にわたり、液体２１１が収納部２０７に溜まっていくと、その液体２１１が溢れて、例えば、外部出力用リード線２０９用の挿通穴２１３を通ってケース本体内部に侵入していく。
【００１０】
また、液体２１１が収納部２０７に溜まった状態で、警報器に振動や衝撃が加わった場合には、その液体２１１が多量にケース本体内部へ溢れる可能性もあった。
【００１１】
このように液体がケース本体内部に侵入すると、火災センサ、警報ブザー及び電子部品が故障等を発生し、ひいては、火災警報を発生することができないことにもなる。
【００１２】
本発明は、外部出力用リード線を収納する収納部に溜まった湯気、油煙等の液体を外部に放出して、ケース本体内への液体の侵入を防止することができる警報器を提供することを課題とする。
【００１３】
【課題を解決するための手段】
本発明は、前記課題を解決するために以下の構成とした。請求項１の発明の警報器は、天井に取り付けられ、火災またはガス漏れの発生をセンサが検知して警報を発生する警報器であって、下ケースとこの下ケースをカバーする上ケースとによりケース本体を構成し、このケース本体内部にプリント基板を収納し、このプリント基板の前記上ケース側に前記センサ、警報ブザー、電子部品、及び前記センサで検知した検知信号を外部出力機器に出力するための外部出力用リード線を取り付け、前記プリント基板からの前記外部出力用リード線を収納する収納部を前記ケース本体に形成し、該収納部には前記天井側に開口部が形成され且つ底部に穴部が形成され、前記収納部に形成された前記開口部からの前記外部出力用リード線を前記天井を通して前記外部出力機器に接続してなり、前記収納部には前記開口部から前記底部に向かって溝部が形成されてなり、前記穴部は、前記上ケースの一部に形成されてなることを特徴とするものである。
【００１４】
請求項１の発明の警報器によれば、プリント基板からの外部出力用リード線を収納する収納部をケース本体に形成し、該収納部に天井側に開口部が形成され且つ底部に穴部が形成されてなるので、室内の湯気、油煙等の液体が天井付近に溜まり、その液体が結露して警報器に付着する。そして、ある程度、液体が付着してくると、収納部に流れ込む。
【００１５】
すると、収納部に流れ込んだ液体は、穴部を通って少しずつケース本体外部に放出されることになる。このため、その液体が溢れて、ケース本体内部に侵入することがなくなる。その結果、センサ及び電子部品等が故障を発生しなくなるので、警報を発生することができる。また、収納部に開口部から底部に向かって溝部が形成されてなるため、収納部に流れ込んだ液体は、溝部を通って、穴部に流れ落ちやすくなるので、その効果が大となる。また、穴部が、上ケースの一部に形成されてなるため、液体が上ケースを通って外部に放出されることになる。
【００２０】
【発明の実施の形態】
以下、本発明の警報器の実施の形態を図面を参照して詳細に説明する。実施の形態では、本発明の警報器として、住宅用の火災・ガス漏れ警報器を例示して説明する。
【００２１】
図１は実施の形態の火災・ガス漏れ警報器を天井に取り付けた状態を示す構成図である。図２は実施の形態の火災・ガス漏れ警報器の概略構成図である。図３は実施の形態の火災・ガス漏れ警報器に設けられた収納部の詳細図である。
【００２２】
図１に示す火災・ガス漏れ警報器１は、天井に取り付ける警報器であり、円形状の上ケース１１と、この上ケース１１に嵌合する円形状の下ケース１３と、上ケース１１全体をカバーする化粧パネル１５とを備えており、下ケース１３は天井１９に設けられた取付ベース１７に取り付けられる。上ケース１１と下ケース１３とは、ケース本体を構成する。
【００２３】
また、上ケース１１と下ケース１３とで構成されるケース本体内部には、プリント基板２１が設けられ、このプリント基板２１の上ケース１１側には、各種の電子部品２４、ガスの漏れを検知するガスセンサ２５、ガスの漏れを検知したとき、または火災を検知したときに警報を発生する警報ブザー２６が実装されている。
【００２４】
また、プリント基板２１は、リード線２７ａを介してセンサ基板２２に接続され、このセンサ基板２２には火災が発生したときに火災の熱により火災を検知する火災センサ２３が実装されている。この火災センサ２３は、火災センサ用ガード２によってガードされている。プリント基板２１には、火災センサ２３またはガスセンサ２５で検知した検知信号を外部出力機器に出力するための外部出力用リード線２７が半田付けされている。
【００２５】
各種の電子部品２４の中には図示しない中央処理装置（ＣＰＵ）も含まれており、このＣＰＵがガスセンサ２５で検知したガス検知信号に基づき、警報ブザー２６に警報信号を出力することで、警報ブザー２６が警報を発生することができる。また、ＣＰＵが火災センサ２３で検知した火災検知信号に基づき、警報ブザー２６に警報信号を出力することで、警報ブザー２６が警報を発生することができる。
【００２６】
また、ケース本体には、挿通穴３０を通してプリント基板２１から導出された外部出力用リード線２７を収納する収納部２９が設けられている。この収納部２９には、天井側に開口部２９ａが形成されており、この開口部２９ａから外部出力用リード線２７が、天井１９を通してギボシ端子などの端子３３に接続され、この端子３３を通して集中監視装置等の外部出力機器へ接続されている。
【００２７】
また、収納部２９の底部には湯気、油煙等の液体を外部へ放出するための小さな穴部３１が形成されており、この穴部３１は、上ケース１１に形成された挿通穴３０よりも下部に形成されている。
【００２８】
このように構成された実施の形態の火災・ガス漏れ警報器によれば、火災・ガス漏れ警報器１を天井１９に設けられた取付ベース１７に取り付けておく。
【００２９】
そして、室内の湯気、油煙等の液体２８が天井付近に溜まり、その液体２８が結露して火災・ガス漏れ警報器１に付着する。そして、ある程度、液体２８が付着してくると、収納部２９に流れ込む。
【００３０】
すると、収納部２９に流れ込んだ液体２８は、穴部３１を通って少しずつケース本体外部に放出されることになる。このため、その液体２８が溢れて、液体２８が例えば、挿通穴３０を通ってケース本体内部に侵入することがなくなる。その結果、火災センサ２３、警報ブザー２６及び電子部品２４等が故障を発生しなくなるので、火災警報を発生することができる。
【００３１】
なお、実施の形態の火災・ガス漏れ警報器において、図４（ａ）に示すように収納部２９の内面４１に、開口部側から穴部３１に向かって細長いレール状の複数の溝部４３を設けてもよい。図４（ｂ）に各溝部の断面図を示す。
【００３２】
このような収納部２９の内面４１複数の溝部４３を形成すれば、収納部２９に流れ込んだ液体２８は、複数の溝部４３を通って、穴部３１に流れ落ちやすくなるので、その効果が大となる。
【００３３】
また、図５に示すように、収納部２９の真下位置であって且つ上ケース１１に複数の穴部３１ａ，３１ｂを形成すれば、収納部２９に流れ込んだ液体２８は、複数の穴部３１ａ，３１ｂを通って、より迅速にケース本体外部に放出されることになり、その効果が大となる。
【００３４】
なお、実施の形態では、本発明の警報器を火災・ガス漏れ警報器に適用したが、例えば、本発明の警報器をガスセンサを設けずに火災センサのみを設けた火災警報器にも適用したり、あるいはガスセンサのみを設けたガス漏れ警報器にも適用することもできる。このほか、本発明の技術的思想を逸脱しない範囲内で、種々変形して実施可能であるのは勿論である。
【００３５】
【発明の効果】
請求項１の発明の警報器によれば、プリント基板からの外部出力用リード線を収納する収納部をケース本体に形成し、該収納部に天井側に開口部が形成され且つ底部に穴部が形成されてなるので、室内の湯気、油煙等の液体が天井付近に溜まり、その液体が結露して警報器に付着する。そして、ある程度、液体が付着してくると、収納部に流れ込む。
【００３６】
すると、収納部に流れ込んだ液体は、穴部を通って少しずつケース本体外部に放出されることになる。このため、その液体が溢れて、ケース本体内部に侵入することがなくなる。その結果、センサ及び電子部品等が故障を発生しなくなるので、警報を発生することができる。また、収納部に開口部から底部に向かって溝部が形成されてなるため、収納部に流れ込んだ液体は、溝部を通って、穴部に流れ落ちやすくなるので、その効果が大となる。また、穴部が、上ケースの一部に形成されてなるため、液体が上ケースを通って外部に放出されることになる。
【図面の簡単な説明】
【図１】実施の形態の火災・ガス漏れ警報器を天井に取り付けた状態を示す構成図である。
【図２】実施の形態の火災・ガス漏れ警報器の概略構成図である。
【図３】実施の形態の火災・ガス漏れ警報器に設けられた収納部の詳細図である。
【図４】実施の形態の火災・ガス漏れ警報器に設けられた溝付き収納部を示す図である。
【図５】実施の形態の火災・ガス漏れ警報器に設けられた収納部の変形例を示す図である。
【図６】従来の警報器の一例を示す図である。
【図７】警報器に設けられた収納部周辺の断面図である。
【図８】図７に示す警報器をＡ方向から見た断面図である。
【符号の説明】
１  火災・ガス漏れ警報器
１１  上ケース
１３  下ケース
１５  化粧パネル
１７  取付ベース
１９  天井
２１  プリント基板
２４  電子部品
２５  ガスセンサ
２６  警報ブザー
２７  外部出力用リード線
２８  液体
２９  収納部
３０  挿通穴
３１  穴部
３３  端子
４１  内面
４３  溝部
４５  上蓋
【図１】
0003681579.tif 000002
【図２】
0003681579.tif 000003
【図３】
0003681579.tif 000004
【図４】
0003681579.tif 000005
【図５】
0003681579.tif 000006
【図６】
0003681579.tif 000007
【図７】
0003681579.tif 000008
【図８】
0003681579.tif 000009